(57)【特許請求の範囲】
【請求項１】
制御基板が収納されるケース本体と、該ケース本体の開口部を遮蔽する蓋体とを備えてなるものであって、
前記ケース本体の少なくともその一側縁と、該一側縁に対応する蓋体の一側縁とのいずれか一方に、取付孔を備えた複数のボス部を設けると共に、他方に、前記取付孔に螺着される螺子の頭部を係止する、各ボス部と一対の複数のフランジ部を設けてなり、前記各一対のボス部とフランジ部とを前記螺子によって順次締結することにより、所定回数分の封印を可能とする遊技機の制御基板収納ケースにおいて、
各フランジ部は、ボス部の取付孔に螺着される螺子の挿入孔部と、その後方に位置して上方に開口する係合孔とを備え、
前記フランジ部群全体に被着されるものであって、その被着状態で前記挿入孔部を上方から覆うカバー部と、前記係合孔に上下で連通する収納孔とを備えるカバー体が、複数切断可能に連設され、
各カバー体には、夫々カバー体の収納孔に挿入されて、上方の仮止め位置と、下方の係合位置とに位置決められ、カバー体のフランジ部への被着状態で係合位置へ押し込まれると、その下端部がフランジ部の係合孔に挿入されて、該係合孔に前後方向で係合して、カバー体をフランジ部に対して前後方向移動不能に拘束するロック片を具備し、
さらに被着状態でカバー体をフランジ部に対して上下方向移動不能とする係止手段を具備してなる螺子保護部材を備えてなるものであることを特徴とする遊技機の制御基板収納ケース。
【請求項２】
螺子保護部材の各カバー体が、各フランジ部に設けられた前後方向の挿入案内部にその前方から嵌め合わされて、該カバー体をフランジ部に対して前後方向移動可能とし且つ上下方向移動不能とする案内支持部を備えてなり、
前記案内支持部により、螺子保護部材の係止手段を構成してなるものであることを特徴とする請求項１に記載の遊技機の制御基板収納ケース。
【請求項３】
螺子保護部材のロック片が、その係合位置で、フランジ部の係合孔の下部周端縁に係止されて当該ロック片の上方移動を拘束する下係合爪部と、前記係合孔の上部周端縁に係止されて当該ロック片の下方移動を拘束する上係合爪部とを備えてなるものであることを特徴とする請求項１又は請求項２に記載の遊技機の制御基板収納ケース。
【請求項４】
螺子保護部材の各カバー体が、その収納孔に、その内面から内方へ突出する係止突部を備えてなると共に、
ロック片が、その仮止め位置で、前記係止突部に係止する仮止め爪部を備えてなり、
仮止め位置に位置決めされたロック片を、カバー体のフランジ部への被着状態で下方へ押し込むことにより、前記仮止め爪部と係止突部との係止状態を解除して、係合位置に位置決めするようにしたものであることを特徴とする請求項１乃至請求項３のいずれか１項に記載の遊技機の制御基板収納ケース。
【請求項５】
カバー体のフランジ部への被着状態でロック片を係合位置に位置決めして、該カバー体をフランジ部に対して上下方向移動不能かつ前後方向移動不能とした状態で、該カバー体の収納孔の上部開口から所定の接着剤を流入することによって、当該カバー体、ロック片、フランジ部を接着してなるものであることを特徴とする請求項１乃至請求項４のいずれか１項に記載の遊技機の制御基板収納ケース。
【発明の詳細な説明】
【技術分野】
【０００１】
本発明は、パチンコ機やスロットマシンなどの遊技機の制御基板収納ケースに関する。
【背景技術】
【０００２】
遊技機の制御基板には、大当り発生確率などの遊技制御内容が書き込まれた記憶装置ＲＯＭが配設されている。この遊技制御内容は、法的規制に沿って設定されており、勝手に変更することができない。ところが、制御基板の記憶装置ＲＯＭを交換することにより、大当りを発生し易くしたり、賞球数を増やすなどの不正行為が行われる。
【０００３】
このような不正行為を防ぐために、例えば特許文献１に、上記の制御基板を収納する制御基板収納ケースとして、そのケース本体と蓋体との一方の一側縁に、取付孔を備えた複数のボス部を設けると共に、他方の一側縁に、各ボス部と対応するように、前記取付孔の螺着される螺子の頭部を係止する複数のフランジ部を設けてなり、緊締方向へのみ螺回操作可能な締結螺子により一対のボス部とフランジ部とを締結するようにした構成が提案されている。この構成では、一対のボス部とフランジ部とを締結した締結螺子を取り外すことができないことから、該ボス部またはフランジ部を破損しなければ、ケース本体と蓋体とを開放できないため、開放した痕跡が残る。これにより、制御基板収納ケースの開放を防止して、制御基板の記憶装置ＲＯＭを交換する不正行為を行えないようにしていた。
【特許文献１】特許第３２６１０８４号公報
【発明の開示】
【発明が解決しようとする課題】
【０００４】
ところが、上記の締結螺子をその緊締方向と逆方向へ螺回する方法やその工具が知られるようになり、ボス部とフランジ部を破損することなく締結螺子を外し、開放した痕跡を残さずに、制御基板収納ケースの不正開放されてしまうという問題が生じてきた。そのため、かかる締結螺子だけでは、制御基板収納ケースの不正開放を確実に防止することができなくなっている。
【０００５】
そこで本発明は、このような問題を解決し、痕跡を残さずに開放することができない遊技機の制御基板収納ケースを提供することを目的とするものである。
【課題を解決するための手段】
【０００６】
本発明は、制御基板が収納されるケース本体と、該ケース本体の開口部を遮蔽する蓋体とを備えてなるものであって、前記ケース本体の少なくともその一側縁と、該一側縁に対応する蓋体の一側縁とのいずれか一方に、取付孔を備えた複数のボス部を設けると共に、他方に、前記取付孔に螺着される螺子の頭部を係止する、各ボス部と一対の複数のフランジ部を設けてなり、前記各一対のボス部とフランジ部とを前記螺子によって順次締結することにより、所定回数分の封印を可能とする遊技機の制御基板収納ケースにおいて、各フランジ部は、ボス部の取付孔に螺着される螺子の挿入孔部と、その後方に位置して上方に開口する係合孔とを備え、前記フランジ部群全体に被着されるものであって、その被着状態で前記挿入孔部を上方から覆うカバー部と、前記係合孔に上下で連通する収納孔とを備えるカバー体が、複数切断可能に連設され、各カバー体には、夫々カバー体の収納孔に挿入されて、上方の仮止め位置と、下方の係合位置とに位置決められ、カバー体のフランジ部への被着状態で係合位置へ押し込まれると、その下端部がフランジ部の係合孔に挿入されて、該係合孔に前後方向で係合して、カバー体をフランジ部に対して前後方向移動不能に拘束するロック片を具備し、さらに被着状態でカバー体をフランジ部に対して上下方向移動不能とする係止手段を具備してなる螺子保護部材を備えてなるものであることを特徴とする遊技機の制御基板収納ケースである。
【０００７】
かかる構成にあっては、一対のボス部とフランジ部とを螺子により締結した後に、螺子保護部材を、その各カバー体により各々のフランジ部を被覆するように取り付け、ボス部と締結したフランジ部に被着されたカバー体の収納孔に仮止めされているロック片を、下方へ押し込んで係合位置として、該フランジ部の係合孔に係合することによって、当該カバー体をフランジ部に固着するようにしたものである。このようにカバー体がフランジ部に固着された状態では、該カバー体のカバー部によって、当該フランジ部とボス部とを締結した螺子の頭部が完全に覆われることから、当該螺子による締結を解除するためは当該カバー体をフランジ部から取り外さなければならない。しかし、カバー体は、その収納孔とフランジ部の係合孔とに差し通されたロック片と係止手段とにより、該フランジ部に対して前後方向および上下方向へ移動不能として固着されていることから、当該カバー体を破損しなければ取り外すことができない。したがって、制御基板収納ケースを開放した場合には、カバー体を破損した痕跡が残るため、当該制御基板収納ケースの不正開放を防ぐことができる。
【０００８】
さらに、螺子保護部材は、各フランジ部およびボス部に対応するように複数のカバー体を連設してなるものであるから、ボス部と締結したフランジ部にカバー体を固着することにより、他のカバー体も各々のフランジ部を被覆した状態で保持され得る。そして、不具合や修理などのために正規に制御基板収納ケースを開放する場合には、フランジ部と固着されたカバー体を、その隣りに連設するカバー体と切断し、フランジ部と固定していないカバー体を取り外した後に、フランジ部と固着されているカバー体を破損して該フランジ部から取り除き、このフランジ部とボス部との締結状態を解除する。その後に、フランジ部をケース本体から切断することにより、ケース本体と蓋体とを開放する。ケース本体と蓋体とを再封印するには、別の一対のフランジ部とボス部とを締結して、上記のようにカバー体を固着することにより行う。このように、フランジ部とボス部、及びカバー体の配設数に応じて、制御基板収納ケースを正規に開放し、再封印することが可能である。尚、各カバー体には、夫々の収納孔にロック片が仮止めされていることから、再封印する度にロック片を準備する必要がない。
【０００９】
尚、本構成の制御基板収納ケースにあって、フランジ部とボス部とを締結する螺子としては、所謂ワンウェイ螺子のような、緊締方向へのみ螺回操作可能な締結螺子が好適に用い得る。このような締結螺子は、専用の取り外し手段や工具によらねば取り外しできないことから、通常、フランジ部とボス部との締結状態を解除するために、フランジ部を破損せねばならず、この破損の痕跡が残り易い。例えば、本発明にあっては、カバー体のカバー部により、フランジ部の挿入孔部を覆うようにしていることから、螺子の操作頭部が隠匿されるため、フランジ部とボス部とを固定している手段が一見分からない。そのため、不正に開放しようとする者が、仮に、カバー体を破損して取り外しても、締結螺子を取り外す手段を準備していない場合もあり、この場合には、前記のようにフランジ部を破損した痕跡が残ることとなる。
【００１０】
本構成にあっては、ボトム部に、再封印に要する螺子の予備螺子を入出する保管部を形成し、フランジ部と封印した際に、保管部の入出口を該フランジ部により塞ぐようにした構成が好適に用い得る。この場合には、フランジ部とボトム部の配設数に応じて、各保管部に予備螺子を保管できるため、再封印する際に、別途螺子を準備する必要がないという優れた利点を有する。
【００１１】
上述した遊技機の制御基板収納ケースにあって、螺子保護部材の各カバー体が、各フランジ部に設けられた前後方向の挿入案内部にその前方から嵌め合わされて、該カバー体をフランジ部に対して前後方向移動可能とし且つ上下方向移動不能とする案内支持部を備えてなり、前記案内支持部により、螺子保護部材の係止手段を構成してなるものが提案される。
【００１２】
かかる構成にあっては、カバー体を、その案内支持部によりフランジ部の挿入案内部に嵌め合わせることにより、該フランジ部に対して上下方向移動不能としていることから、カバー体のフランジ部への被着状態でロック片を係合位置として前後方向移動不能とすることにより、該カバー体をフランジ部に固着できるようにしたものである。これにより、本構成にあっては、上述した本発明にかかる作用効果を適正に奏することができ得る。
【００１３】
上述した遊技機の制御基板収納ケースにあって、螺子保護部材のロック片が、その係合位置で、フランジ部の係合孔の下部周端縁に係止されて当該ロック片の上方移動を拘束する下係合爪部と、前記係合孔の上部周端縁に係止されて当該ロック片の下方移動を拘束する上係合爪部とを備えてなるものである構成が提案される。尚ここで、ロック片の下係合爪部は、該ロック片の下端部に設けられ、フランジ部の係合孔に挿入されて係止されるものとなっている。
【００１４】
かかる構成にあっては、カバー体のフランジ部への被着状態で仮止め位置から係合位置へ押し込まれたロック片が、その下係合爪部と上係合爪部とによって、フランジ部の係合孔に係止されて上下移動を拘束されて保持されることから、該係合孔に前後方向で確実に係合することができる。したがって、ロック片を係合位置とすることにより、カバー体の前後移動不能する状態を適正かつ確実に保持することができ得る。
【００１５】
上述した遊技機の制御基板収納ケースにあって、螺子保護部材の各カバー体が、その収納孔に、その内面から内方へ突出する係止突部を備えてなると共に、ロック片が、その仮止め位置で、前記係止突部に係止する仮止め爪部を備えてなり、仮止め位置に位置決めされたロック片を、カバー体のフランジ部への被着状態で下方へ押し込むことにより、前記仮止め爪部と係止突部との係止状態を解除して、係合位置に位置決めするようにしたものである構成が提案される。
【００１６】
かかる構成にあっては、カバー体の収納孔に仮止めしたロック片を、下方へ押し込むことにより、比較的容易に仮止めを解除して、係合位置に位置決めすることができる。そのため、カバー体をフランジ部に固着する作業の作業性に優れる。
【００１７】
上述した遊技機の制御基板収納ケースにあって、カバー体のフランジ部への被着状態でロック片を係合位置に位置決めして、該カバー体をフランジ部に対して上下方向移動不能かつ前後方向移動不能とした状態で、該カバー体の収納孔の上部開口から所定の接着剤を流入することによって、当該カバー体、ロック片、フランジ部を接着してなるものである構成が提案される。
【００１８】
かかる構成にあっては、ロック片を係合部に嵌挿して係合した状態で、該ロック片とカバー体とフランジ部とを接着するため、これらを破損することなく取り外すことが事実上不可能となるため、開放した痕跡が確実に残る。そのため、不正開放を防止するという本発明の作用効果が一層向上する。
【００１９】
尚、この接着剤としては、ロック片、カバー体、フランジ部の素材（材料）に適したものを使用する。特に、接着力の比較的強いものが好適である。また、ロック片、カバー体、フランジ部がプラスチック製である場合には、これらの表層を溶かして接着するようにした種類の接着剤が好適に用い得る。
【発明の効果】
【００２０】
本発明の遊技機の制御基板収納ケースにあっては、ケース本体と蓋体との一方に設けた複数のボス部と他方に設けた複数のフランジ部との一対を締結し、カバー体を複数切断可能に連接してなる螺子保護部材を前記フランジ部群全体に被着して、各カバー体により夫々フランジ部の螺子の挿入孔部を覆い、ボス部と締結したフランジ部に被着したカバー体の収納孔に仮止めされたロック片を下方へ押し込み、該ロック片の下端部を当該フランジ部の係合孔に係合により前後方向移動不能とし、かつ係合手段により上下方向移動不能とするようにしたものであるから、ボス部とフランジ部との締結状態を解除するためには、該フランジ部に固着したカバー体を破損することを要する。したがって、制御基板収納ケースを開放した場合には、カバー体を破損した痕跡が残るため、当該制御基板収納ケースの不正開放を防ぐ効果を奏する。
【００２１】
上述した遊技機の制御基板収納ケースであって、螺子保護部材の係止手段が、各カバー体に設けられた案内支持部により構成され、該案内支持部を、各フランジ部の挿入案内部に嵌め合わせることにより、該カバー体をフランジ部に対して上下方向移動不能とするものとした構成にあっては、カバー体をフランジ部に被着することで上下方向移動不能となるため、該カバー体のロック片を係合位置として前後方向移動不能とすることにより、カバー体をフランジ部に固着できる。本構成にあっては、上述した本発明にかかる作用効果を適正に奏することができ得る。
【００２２】
上述した遊技機の制御基板収納ケースにあって、螺子保護部材のロック片が、その係合位置で、フランジ部の係合孔の下部周端縁に係止されて上方移動を拘束する下係合爪部と、前記係合孔の上部周端縁に係止されて下方移動を拘束する上係合爪部とを備えてなる構成とした場合にあっては、被着状態でカバー体の収納孔に仮止めされたロック片を下方へ押し込むことにより、当該ロック片をフランジ部の係合孔に容易かつ確実に係合することができると共に、その係合状態を保持する効果が高い。したがって、カバー体をフランジ部に固着するという、本発明の作用効果が一層向上する。
【００２３】
上述した遊技機の制御基板収納ケースにあって、カバー体の収納孔に設けた係止突部に、ロック片の仮止め爪部を係止することにより、当該ロック片を仮止め位置に位置決めし、下方へ押し込むことにより、仮止め爪部と係止突部との係止状態を解除するようにした構成とした場合にあっては、カバー体をフランジ部に被着した状態で、該カバー体のロック片を下方へ押し込むことにより、比較的容易に仮止め解除でき、当該ロック片を係合位置に位置決めできる。したがって、カバー体をフランジ部に固着するための作業の作業性に優れる。
【００２４】
上述した遊技機の制御基板収納ケースにあって、カバー体のフランジ部への被着状態でロック片を係合位置に位置決めして固着した状態で、該カバー体の収納孔の上部開口から流入された所定の接着剤によって、当該カバー体、ロック片、フランジ部が接着されてなる構成にあっては、該ロック片とカバー体とフランジ部とを接着するため、これらを破損することなく取り外すことが事実上不可能となるため、開放した痕跡が確実に残る。そのため、不正開放を防止するという本発明の作用効果が一層向上する。
【発明を実施するための最良の形態】
【００２５】
本発明にかかる遊技機の制御基板収納ケース１の一実施例を添付図面に従って説明する。本実施例の制御基板収納ケース１は、パチンコ機の裏面やスロットマシンの内部の所定位置に配設されるものである。
【００２６】
遊技機の制御基板収納ケース１にあっては、図１〜５のように、パチンコ機の裏面の所定位置に固定される蓋体３と、蓋体３に対向する下面が開口された矩形筐体状のケース本体２とを備えている。本実施例にあっては、ケース本体２と蓋体３とを前後方向にスライドすることにより、開閉することができる構成となっている。ケース本体２と蓋体３とは、透明性の樹脂素材から成形されており、後述する制御基板（図示せず）を視認可能としている。
【００２７】
ここで、蓋体３は、矩形状の底面部１１と該底面部１１の三辺から上方へ夫々起立する側縁部１２，１３，１４とから構成されており、互いに対向する長手方向の側縁部１３，１４に、その上端部から内方へ夫々突出する複数の摺動支持部１５が設けられている。また、底面部１１の、側縁部１２，１３，１４が設けられていない一辺には、その面方向に沿って外方へ突出する嵌合係止部１６が設けられている。
【００２８】
この蓋体３には、上記した嵌合係止部１６が形成された一辺と対向する辺に設けられた側縁部１２に、所定間隔をおいて四個のボス部１８が並設されている（図４（Ｂ）参照）。各ボス部１８には、ワンウェイ螺子８をねじ込むための取付孔１９が夫々設けられていると共に、各々一個のワンウェイ螺子８を上方から入出可能な入出口２０ａを備えた予備螺子保管穴２０が夫々設けられている。ここで、ワンウェイ螺子８は、緊締方向へのみ螺回操作可能な操作頭部８ａと、該操作頭部８ａから突成された雄ネジ部８ｂとから構成されてなるものであり、本発明の螺子である。また、前記した予備螺子保管穴２０は、その上部２０ｂがワンウェイ螺子８の操作頭部８ａを嵌入可能な太径に形成され、下部２０ｃがワンウェイ螺子８の雄ネジ部８ｂを嵌挿可能な細径に形成された二段孔形態となっている。本実施例にあって、ボス部１８は、取付孔１９を予備螺子保管穴２０の外側（前方）とするように、該取付孔１９と予備螺子保管穴２０とを長手方向に列んで設けている。
【００２９】
一方、上記したケース本体２内には、制御基板（図示せず）が収納されて固定される。ここで、この図示しない制御基板には、プリント配線板、その上面に夫々配設された中央制御装置ＣＰＵや記憶装置ＲＯＭや記憶装置ＲＡＭなどの電子部品、該制御基板と他の制御基板や駆動装置などと電気的に接続するケーブルが連結されるコネクタなどを備えている。尚、前記記憶装置ＲＯＭには、大当り発生確率などの当該遊技機の遊技を統括的に制御するための遊技制御内容が書き込まれている。
【００３０】
このケース本体２には、その四隅に、底浅状の浅場部３０が設けられており、各浅場部３０により上記の制御基板（図示せず）の四隅を支持すると共に、各浅場部３０に設けられた螺子孔（図示せず）と制御基板の四隅に設けられた螺子孔（図示せず）とを所定の螺子により螺合することにより、ケース本体２に制御基板を固定している。尚、制御基板は、ケース本体２に固定された状態で、該ケース本体２の内部に各電子部品が収納されるように、ケース本体２に取り付けられる。また、ケース本体２には、制御基板の各コネクタに対応する位置に、夫々のコネクタの外寸に合わせて開口部（図示せず）が形成されており、コネクタの上端または全体がケース本体２外に露出するようになっている。これにより、制御基板収納ケース１を封印した状態で、各コネクタに所定のケーブルを接続したり取り外したりすることができるようになっている。
【００３１】
さらに、ケース本体２は、その長手方向の両側縁部３２，３３が、上記した蓋体３の両側縁部１３，１４間に嵌入し且つ該蓋体３の底面部１１と各摺動支持部１５との間に嵌入するように設けられている。これにより、ケース本体２が、蓋体３の底面部１１に沿って長手方向に摺動可能となっており、この長手方向へスライドすることによって開閉できるようになっている。尚ここで、ケース本体２を閉鎖するようにスライドする方向を、前方とし、開放するようにスライドする方向を、後方としている。
【００３２】
ケース本体２の前方側の側縁部３１には、上記した蓋体３に設けられた各ボス部１８と夫々対向するように所定間隔をおいて四個のフランジ部４１が並設されている（図４（Ａ）参照）。また、各フランジ部４１が設けられた側縁部３１と対向する後方側の側縁部３４には、上記した蓋体３の嵌合係止部１６を嵌入する嵌入孔部３６が設けられている。そして、ケース本体２のフランジ部４１が設けられた側縁部３１と蓋体３の側縁部１２とが当接した状態で、ケース本体２と蓋体３とが閉鎖し、各フランジ部４１と各ボス部１８とが夫々対向すると共に、ケース本体２の嵌入孔部３６に蓋体３の嵌合係止部１６が嵌入して位置決めされるようになっている。
【００３３】
ここで、上記した各フランジ部４１は、ケース本体２の側縁部３１から前方（外方）へ突出された一対のリブ部４２，４２と、両リブ部４２，４２の前部で両側縁が支持された螺子係止部４３とから構成されている。螺子係止部４３には、上記したボス部１８の取付孔１９に対向する位置に、上下方向に貫通する挿入孔４４が設けられている。この挿入孔４４は、その上部に、ワンウェイ螺子８の操作頭部８ａを嵌入して係止する上部係止部４４ａと、下部に、ワンウェイ螺子８の雄ネジ部８ｂを挿通する下部挿通部４４ｂとからなる二段構造となっている。尚、この螺子係止部４３の、挿入孔４４が設けられた部位が、本発明にかかる挿入孔部４５である。
【００３４】
そして、一対のフランジ部４１とボス部１８にあって、該フランジ部４１の螺子係止部４３の挿入孔４４にワンウェイ螺子８の雄ネジ部８ｂを上方から挿通し、該ワンウェイ螺子８を螺回操作することによって、操作頭部８ａを挿入孔４４の上部係止部４４ａに係止すると共に雄ネジ部８ｂをボス部１８の取付孔１９に螺着し得るようになっている（図５参照）。これにより、一対のフランジ部４１とボス部１８とを締結することができる。尚、螺子係止部４３が、フランジ部４１とボス部とを対向した状態（ケース本体２と蓋体３とを閉じた状態）で近接するように設けられており、ワンウェイ螺子８を螺回操作することにより、ボス部１８と圧接して締結するようになっている。
【００３５】
また、フランジ部４１には、螺子係止部４３、両リブ部４２，４２、ケース本体２の側縁部３１に囲まれて、上下方向に貫通する係合孔４７が形成されている。すなわち、この係合孔４７は、上記した螺子係止部４３の挿入孔４４（挿入孔部４５）の後方位置に設けられている。
【００３６】
尚、本実施例にあっては、フランジ部４１のリブ部４２，４２は、螺子係止部４３の下端より上方となるように設けられており、該フランジ部４１とボス部１８とが対向した状態では、両リブ部４２，４２とボス部１８との間に空隙４８が形成されている（図９参照）。
【００３７】
また、フランジ部４１の螺子係止部４３は、その挿入孔４４より後方の後寄り部位が、ボス部１８の予備螺子保管穴２０の入出口２０ａ上を部分的に塞ぐように形成されている。これにより、上記したケース本体２と蓋体３とを閉鎖して一対のフランジ部４１とボス部１８とをワンウェイ螺子８により締結して封印した状態では、締結していないボス部１８の予備螺子保管穴２０内に保管された予備用のワンウェイ螺子８が、各フランジ部４１の螺子係止部４３によって抜け落ちないようになっている。
【００３８】
次に、本発明の要部について説明する。
上述した制御基板収納ケース１には、図６〜８のように、各フランジ部４１を被覆するカバー体５２が複数連設された螺子保護部材５１を備えている。そして、各カバー体５２には、それぞれロック片５３が収納保持されている。このカバー体５２とロック片５３とは、樹脂材料により成形されてなる。ここで、各カバー体５２は、互いに隣り合うもの同士が杆状連結部５４ａ，５４ｂを介して連設されており、該杆状連結部５４ａ，５４ｂが比較的細い形状となっていることから、ニッパーやカッター等の工具（ニッパーやカッターなど）により比較的容易に切断可能となっている。
【００３９】
上記したカバー体５２は、フランジ部４１を全体的に覆うカバー部５５と、該カバー部５５の後部から上方へ突出する収納部５６とから構成されている。このカバー体５２は、カバー部５５によってフランジ部４１の螺子係止部４３を覆うようになっており、該螺子係止部４３の挿入孔４４に係止されたワンウェイ螺子８の操作頭部８ａを覆うようになっている。
【００４０】
ここで、カバー体５２のカバー部５５は、後方が開口された略Ｕ字形の側部５５ａと、該側部５５ａ上を閉鎖する上部５５ｂとから構成されており、この略Ｕ字形の側部５５ａによって、フランジ部４１の前部および側部を覆うようになっている。そして、カバー部５５には、その側部５５ａの両側下端の前寄り部位に内方へ突出する嵌合突部５８，５８が形成されている共に、上部５５ｂの両側下面に嵌合支持部５９，５９が設けられている。この嵌合突部５８，５８と嵌合支持部５９，５９は、カバー体５２をフランジ部４１の前方から嵌入することにより、該フランジ部４１の両リブ部４２，４２を上下から挟むようになっている。すなわち、カバー体５２は、そのカバー部５５の嵌合突部５８，５８と嵌合支持部５９，５９とによって、両リブ部４２，４２に沿って前後方向へ移動可能であり且つ上下方向へ移動不能となるように、フランジ部４１に嵌入される。さらに、本実施例にあって、カバー部５５の嵌合突部５８，５８は、その間隔が、フランジ部４１の螺子係止部４３の最大幅より若干短くなるように形成されている。そのため、カバー体５２をフランジ部４１に嵌入する際には、該カバー体５２を後方へ押し込むようにして嵌合し、嵌合した状態で自然に抜け落ちず、前方へ引き抜くことによって取り外し可能となっている。
【００４１】
尚、上記したカバー体５２の嵌合突部５８，５８と嵌合支持部５９，５９とにより、本発明の案内支持部（図示省略）が構成されており、フランジ部４１の両リブ部４２，４２により、本発明の挿入案内部が構成されている。
【００４２】
また、カバー体５２の収納部５６には、上下方向に貫通する収納孔６１が設けられている。ここで、収納部５６の収納孔６１は、当該カバー体５２のフランジ部４１への被着状態で、該フランジ部４１の係合孔４７に連通するように設けられている。さらに、この収納孔６１には、その上部内面の両側部位から内方へ突出する係止突部６２，６２が設けられている。
【００４３】
上記したカバー体５２の収納孔６１内には、上記したロック片５３が収納保持される。このロック片５３は、その上部に設けられた弾性保持部６５，６５と、下部に設けられた弾性係合部６６，６６と、弾性保持部６５，６５および弾性係合部６６，６６が連成される中体部６７とから構成されてなる。ここで、弾性保持部６５，６５は、中体部６７の上端部から上方へ突成する杆状腕部６５ａ，６５ａが互いに平行に設けられ、各杆状腕部６５ａ，６５ａの上端に外側に突出する仮止め爪部６５ｂ，６５ｂが設けられてなる。この弾性保持部６５，６５は、当該ロック片５３を収納部５６の収納孔６１に下方から挿入することにより、該収納孔６１内の係止突部６２，６２間を、杆状腕部６５ａ，６５ａが互いに接近する内方向に弾性変形して仮止め爪部６５ｂ，６５ｂを通過させ、杆状腕部６５ａ，６５ａが嵌挿した状態で、仮止め爪部６５ｂ，６５ｂを係止突部６２，６２の上面に係止する（図９（Ｂ）、図１０（Ａ）参照）。これにより、ロック片５３が収納部５６の収納孔６１内に収納保持されるようになっている。そして、ロック片５３は、収納孔６１内に収納保持された状態で、杆状腕部６５ａ，６５ａを下方へ押し込むことにより、該杆状腕部６５ａ，６５ａを内方向へ弾性変形させて、仮止め爪部６５ｂ，６５ｂの係止状態を解除することができる。
【００４４】
また、ロック片５３の弾性係合部６６，６６は、中体部６７の下端部から下方へ突成する杆状脚部６６ａ，６６ａが互いに平行に設けられ、各杆状脚部６６ａ，６６ａの下端に外側方に突出する下係合爪部６６ｂ，６６ｂが設けられてなる。さらに、杆状脚部６６ａ，６６ａは、その下側部分が薄厚状に形成されており、板厚の変わる部位に前後方向に段状の上係合爪部６６ｃ，６６ｃが設けられている。この弾性係合部６６，６６は、当該ロック片５３をフランジ部４１の係合孔４７に上方から挿入することにより、各杆状脚部６６ａ，６６ａを互いに接近する内方向に弾性変形して各下係合爪部６６ｂ，６６ｂが通過する。そして、下係合爪部６６ｂ，６６ｂが、係合孔４７の下方へ突出した嵌挿状態で、該係合孔４７を構成する両リブ部４２，４２の下面（係合孔４７の下部周端縁４７ａ）に係止され、当該ロック片５３の上方移動を拘束する。さらに、この嵌挿状態で、上係合爪部６６ｃ，６６ｃが係合孔４７を構成する螺子係止部４３の上面（係合孔４７の上部周端縁４７ｂ）に係止され、当該ロック片５３の下方移動を拘束する。このようにしてロック片５３がフランジ部４１の係合孔４７に係合することにより、この係合状態で、該ロック片５３が係合孔４７に対して前後方向移動不能かつ上下方向移動不能となる（図９（Ｃ）、図１０（Ｂ）参照）。
【００４５】
このようにロック片５３の弾性係合部６６，６６がフランジ部４１の係合孔４７に係合した状態では、当該ロック片５３の弾性保持部６５，６５がカバー体５２の収納孔６１内に配されるようになっている。すなわち、フランジ部４１の係合孔４７とカバー体５２の収納孔６１とを、ロック片５３により差し通された状態となる（図９（Ｃ）参照）。これにより、カバー体５２がフランジ部４１に対して前後方向へ移動不能となる。そのため、当該カバー体５２は、フランジ部４１に被着した状態で、該フランジ部４１の両リブ部４２，４２に嵌合突部５８，５８と嵌合支持部５９，５９とが嵌合していることから（図１０（Ｂ）参照）、上下方向移動不能となっているため、ロック片５３がフランジ部４１の係合孔４７に係合することにより、該フランジ部４１に固着される。
【００４６】
そして、上記のように、カバー体５２がフランジ部４１に固着した状態では、該フランジ部４１の両リブ部４２，４２下に突出するロック片５３の下係合爪部６６ｂ，６６ｂも、当該カバー体５２のカバー部５５の側部５５ａにより側方から被覆される。そのため、ロック片５３は、カバー体５２により完全に外側から覆われた状態であるから、該下係合爪部６６ｂ，６６ｂをフランジ部４１の係合孔４７との係合状態から解除できないようになっている。
【００４７】
尚、本実施例にあって、ロック片５３の仮止め爪部６５ｂ、６５ｂをカバー体５２の収納孔６１の係止突部６２，６２に係止して該ロック片５３を該収納孔６１内に収納保持した位置が、本発明にかかる仮止め位置である（図８、図９（Ａ），（Ｂ）、図１０（Ａ）参照）。そして、ロック片５３の下係合爪部６６ｂ，６６ｂと上係合爪部６６ｃ，６６ｃとがフランジ部４１の係合孔４７に係合したロック片５３の位置が、本発明にかかる係合位置である（図９（Ｃ）、図１０（Ｂ）参照）。
【００４８】
次に、本実施例の制御基板収納ケース１を開閉する手順について説明する。
制御基板収納ケース１を閉鎖して封印するためには、図５のように、ケース本体２と蓋体３とを閉じた状態で、一つのフランジ部４１の上方から螺子係止部４３の挿入孔４４にワンウェイ螺子８を挿通し、緊締方向に螺回操作することにより、該ワンウェイ螺子８の雄ネジ部８ｂを、当該フランジ部４１と一対のボス部１８の取付孔１９にねじ込み、緊締して螺着する。これにより、一対のフランジ部４１とボス部１８とが締結され、ケース本体２と蓋体３との閉止状態が保持される。
【００４９】
尚ここで、ケース本体２と蓋体３とを閉鎖する前に、締結しない各ボス部１８の予備螺子保管穴２０に夫々に予備用のワンウェイ螺子８を挿入しておく（図４（Ｂ）参照）。そして、上記のように一対のフランジ部４１とボス部１８とが締結されることにより、これ以外の各ボス部１８の予備螺子保管穴２０に保管されたワンウェイ螺子８が各フランジ部４１により抜け落ちないようになっている。
【００５０】
上記のように一対のフランジ部４１とボス部１８とを締結した後に、図９（Ａ）のように、螺子保護部材５１を、その各カバー体５２を夫々にフランジ部４１の前方から嵌め込むようにして取り付け、図９（Ｂ）、図１０（Ａ）のように、各フランジ部群全体に被着する。ここで、各カバー体５２がフランジ部４１に挿入される場合には、該カバー体５２の嵌合支持部５９，５９がフランジ部４１の両リム部４２，４２の上面に支持され、カバー体５２の嵌合突部５８，５８がフランジ部４１の螺子係止部４３に押し付けられて乗り越えるようにして、両リム部４２，４２の下面に当接する。これにより、各カバー体５２は、各フランジ部４１に上下方向移動不能とし且つ前後方向移動可能として被着される。尚、カバー体５２をフランジ部４１から前方へ移動するためには、該カバー体５２の嵌合突部５８，５８を該フランジ部４１の螺子係止部４３を乗り越えるように引き抜くことを要する。これにより、カバー体５２がフランジ部４１から自然に抜け落ちないようにしている。
【００５１】
この螺子保護部材５１の各カバー体５２には、その収納孔６１内に、ロック片５３が収納保持されている。ここで、ロック片５３は、カバー体５２の収納孔６１にその下方から挿入されて、上述したように仮止め爪部６５ｂ，６５ｂが該収納孔６１の係止突部６２，６２に係止することにより、該収納孔６１内に収納保持される。尚、ロック片５３は、カバー体５２の収納孔６１内に収納保持された仮止め位置では、該カバー体５２の嵌合支持部５９，５９より上方に位置しており、カバー体５２をフランジ部４１に嵌め合わせる際や取り外す際に、該フランジ部４１に干渉しない。
【００５２】
上述したように螺子保護部材５１が各フランジ部群全体を被着した状態で、ワンウェイ螺子８によりボス部１８と締結したフランジ部４１を被着したカバー体５２の収納孔６１内に収納保持されているロック片５３を、下方へ押し込むことにより、図９（Ｃ）、図１０（Ｂ）のように、当該フランジ部４１の係合孔４７に係合する。すなわち、このカバー体５２の収納孔６１の上部開口６１ａから所定の工具を差し込み、ロック片５３を下方へ押し込むことにより、該ロック片５３の仮止め爪部６５ｂ，６５ｂと収納孔６１の係止突部６２，６２との係止状態を解除して、下方へ移動させる。そして、このロック片５３の弾性係合部６６，６６を、フランジ部４１の係合孔４７へ挿入して、下係合爪部６６ｂ，６６ｂと上係合爪部６６ｃ，６６ｃとにより該係合孔４７の上下の周端縁４７ａ，４７ｂに係合する。これにより、ロック片５３が、カバー体５２の収納孔６１とフランジ部４１の係合孔４７とに差し通された状態で保持され、該カバー体５２を該フランジ部４１に対して前後方向移動不能とする。
【００５３】
このようにロック片５３をフランジ部４１の係合孔４７に係合することにより、上述したように、カバー体５２がフランジ部４１に被着された状態で上下方向移動不能となっていることから（図１０参照）、該カバー体５２がフランジ部４１に固着できる。
【００５４】
このように一対のフランジ部４１とボス部１８とを締結して、カバー体５２をロック片５３により当該フランジ部４１に固着することによって、締結しているワンウェイ螺子８の操作頭部８ａが当該カバー体５２により覆われた状態となる。そのため、このワンウェイ螺子８を取り外すためには、カバー体５２を取り除く必要があるが、上述したように当該カバー体５２がフランジ部４１に固着されていることから、このカバー体５２を取り除くためには破損しなければならない。すなわち、検査や修理などのために正規に制御基板収納ケース１を開封する場合には、図１１（Ａ）のように、フランジ部４１と固着しているカバー体５２と当該カバー体５２に連設しているカバー体５２とをその間の杆状連結部５４ａ，５４ｂとをニッパーやカッター等により切断して分離する。さらに、フランジ部４１と固着しているカバー体５２の収納部５６を、ニッパーやカッター等により切断してカバー部５５と分離する。これに伴い、ロック片５３も上下に分断されるため、図１１（Ｂ）のように、ロック片５３の下部５３’がフランジ部４１の係合孔４４に係合維持されるだけとなるから、カバー体５２のカバー部５５を前方へ引き抜くと共に該カバー体５２の収納部５６も取り外すことにより、該フランジ部４１から該カバー体５２を取り除くことができる。その後、フランジ部４１の両リブ部４２，４２を、同じくニッパー等により切断することにより、ケース本体２と蓋体３との封印を解除できる。
【００５５】
ここで、制御基板収納ケース１を開封するためには、螺子保護部材５１のカバー体５２を切断した痕跡が残ると共に、フランジ部４１の両リムフランジ部４２，４２を切断した痕跡が残る。仮に、制御基板収納ケース１を不正に開放しようとした場合には、予めワンウェイ螺子８の取り外し手段を準備していたとしても、カバー体５２を破損しなければならず、この破損の痕跡が残ることとなる。したがって、制御基板収納ケース１の不正開放を防止することができ得る。
【００５６】
尚、カバー体５２は、フランジ部４１を被覆していることから、一見しただけでは、フランジ部４１とボス部１８との締結にワンウェイ螺子８を用いているかわからない。そのため、不正開放しようとするものが、ワンウェイ螺子８を取り外すための手段を準備していない場合もありえ、この場合には、さらにフランジ部４１を破損しなければならず、上記した正規の開放と同様、カバー体５２の破損と合わせて二重の痕跡が残ることとなる。
【００５７】
上述したように封印を開放した後に再封印するには、他の一対をなすフランジ部４１とボス部１８とを、当該ボス部１８の予備螺子保管穴２０に保管してあるワンウェイ螺子８により、上記と同様に締結し、さらに、残りのカバー体５２が連設する螺子保護部材５１を残りの各フランジ部群全体に被着する。そして、締結したフランジ部４１を被覆するカバー体５２のロック片５３を、当該フランジ部４１の係合孔４７に係合することにより当該カバー体５２を当該フランジ部４１に固着して再封印する。また、再度の封印を解除するためには、上記と同様にカバー体５２を破損して、フランジ部４１を破損することにより行う。そして、この封印と解除の作業を繰り返すことによって、一対のフランジ部４１とボス部１８との配設数に対応した回数分の封印および開封を行うことができ得る。
【００５８】
一方、上述した実施例にあって、ロック片５３をフランジ部４１の係合孔４７とカバー体５２の収納孔６１とに差し通した後に、該収納孔６１の上部開口６１ａから所定の接着剤を流入して、ロック片５３とカバー体５２とフランジ部４１とを接着するようにしても良い。この場合には、ロック片５３によるカバー体５２とフランジ部４１との固着した状態を、これらを破損することなく当該カバー体５２をフランジ部４１から取り外すことが事実上不可能となる。そのため、カバー体５２を破損した痕跡が確実に残ることから、不正開放を防止する効果が一層向上する。さらに、この接着剤として、樹脂材料を溶かして接着するものを用いることによって、カバー体５２，ロック片５３、フランジ部４１の表層部を溶かして接着できるため、これらを一層強固に固着することができる。この接着剤では、溶剤などを用いても溶けた部位が元にもどらないため、開封の痕跡を一層確実に残すことができ得る。
【００５９】
上述した実施例にあっては、カバー体５２が嵌合支持部５９，５９と嵌合突部５８，５８とからなる案内支持部を備え、該カバー体５２をフランジ部４１に被着すると、該カバー体５２が自然に抜け落ちないようにした構成であるが、カバー体を比較的スムーズに前後方向移動可能とするように案内支持部を設ける構成としても良い。尚、この場合にあっても、カバー体をフランジ部に被着した状態では上下方向移動不能とすることを要する。例えば、フランジ部の両リブ部の横幅よりも螺子係止部の最大幅を狭くし、該螺子係止部の最大幅よりも間隔が広く且つリブ部の下面に当接し得る支持突部を、前記嵌合突部に変えてカバー体に形成する。これにより、カバー体をフランジ部に対して前後方向に移動自在とし、且つ上下方向移動不能とすることができ得る。
【００６０】
さらに、本実施例にあっては、カバー体５２に設けた嵌合支持部５９，５９と嵌合突部５８，５８とからなる案内支持部により、該カバー体５２のフランジ部４１に対して上下方向移動とする係止手段を構成したものであるが、その他の構成として、この係止手段を、ロック片が有する構成とすることもできる。この構成にあっては、螺子保護部材のロック片が、その係合位置で、フランジ部の係合孔の下部周端縁に係止されて当該ロック片の上方移動を拘束する係合爪部と、カバー体の収納孔に設けられた係合支持部に係止されて該カバー体の当該ロック片に対する上方移動を拘束する支持爪部とを備えてなり、前記ロック片の係合爪部と支持爪部、およびカバー体の係合支持部により、螺子保護部材の係止手段を構成してなるものが提案される。
【００６１】
具体的には、図１２のように、ロック片７１が、フランジ部４１の係合孔４７に係合する弾性係合部７２，７２に比して、広い間隔の弾性保持部７３，７３を備えた構成とする。そして、カバー体７６の収納部７７の収納孔７８に、その上部内面に弾性保持部７３，７３の仮止め爪部７３ｂ，７３ｂに係止する係止突部７９，７９を備え、該収納孔７８の下部内面に弾性係合部７２，７２を嵌挿して、該弾性係合部７２，７２の係合爪部７２ｂ，７２ｂにより上方移動を拘束する係合支持部８０，８０を備える。そして、弾性係合部７２，７２と前記弾性保持部７３，７３とを連成する中体部７４が、該弾性係合部７２，７２から両側方へ突出して、その突出した部位により支持爪部８１，８１を構成する。この支持爪部８１，８１は、ロック片７１を下方へ押し込むことにより、収納孔７８の係合支持部８０，８０に係止して当該ロック片７１の下方移動を拘束する。この構成の場合には、ロック片７１を、その弾性保持部７３，７３が収納孔７８の係止突部７９，７９に仮止めした状態で保持され（図１２（Ａ）参照）、当該カバー体７６のフランジ部４１への被着状態で、下方へ押し込むことにより、弾性係合部７２，７２の係合爪部７２ｂ，７２ｂが該フランジ部４１の係合孔４７の下部周端縁４７ａに係合すると共に、支持爪部８１，８１が収納孔７８の係合支持部８０，８０に係止する（図１２（Ｂ）参照）。これにより、ロック片７１がカバー体７６とフランジ部４１とを前後方向移動不能とし且つ上下方向移動不能とする。尚、このカバー体７６にあっては、上述した本実施例の嵌合支持部と嵌合突部を設けなくとも良い。
【００６２】
また、上述した実施例にあって、カバー体５２を取り付ける前に、フランジ部４１とボス部１８との間の空隙４８に、該空隙４８を塞ぐ薄板状のプレート（図示せず）を嵌挿するようにした構成とすることもできる。このようにプレートを嵌挿することにより、カバー体５２の収納部５６から下方へ押し込まれたロック片５３が該プレート９１により下方移動を妨げられて位置決めされる。この場合には、ロック片５３の弾性係合部６６，６６に形成した上係合爪部６６ｃ，６６ｃの役割を、プレートにより有するようにしたため、前記上係合爪部６６ｃ，６６ｃを備えない構成とすることもできる。また、ボス部に予備螺子を保管するための上下貫通する保管孔部を設けた構成の場合にあっては、このプレートを配設することにより、該保管孔の下方から予備螺子を押し上げることによりロック片と係合孔との係合を解除しようとする不正行為を防ぐことができる。
【００６３】
上述した実施例にあっては、一対のフランジ部４１とボス部１８とを、制御基板収納ケース１の長手方向の一側縁に配設した構成であるが、その他の構成として、制御基板収納ケースの長手方向に沿った両側縁又は一方の側縁に配設する構成とすることもできる。また、制御基板収納ケース１は、ケース本体２と蓋体３とを長手方向に沿ってスライドして開閉するようにした構成であるが、ケース本体と蓋体とを上下方向に嵌め合わせる箱形状の構成とすることもできる。
【００６４】
また、フランジ部４１をケース本体２に配設し、ボス部１８を蓋体３に配設した構成だけでなく、ケース本体にボス部を配設し、蓋体にフランジ部を配設した構成とすることもできる。さらにまた、ボス部に形成した取付孔と予備螺子保管穴との配設位置を前後逆とすることもできる。
【図面の簡単な説明】
【００６５】
【図１】本発明にかかる制御基板収納ケース１の分解斜視図である。
【図２】制御基板収納ケース１の平面図である。
【図３】制御基板収納ケース１の、図２におけるＬ−Ｌ断面図である。
【図４】（Ａ）ケース本体２のフランジ部４１の拡大斜視図と、（Ｂ）蓋体３のボス部１８の拡大斜視図である。
【図５】ケース本体２と蓋体３とを閉じた状態における、フランジ部４１とボス部１８とを示す拡大斜視図である。
【図６】螺子保護部材５１を構成するカバー体５２とロック片５３との分解斜視図である。
【図７】螺子保護部材５１、（Ａ）側面図と（Ｂ）平面図である。
【図８】（Ａ）図７（Ｂ）におけるＭ−Ｍ断面図と、（Ｂ）図７（Ｂ）におけるＰ−Ｐ断面図である。
【図９】（Ａ）一対のフランジ部４１とボス部１８との締結状態と、（Ｂ）カバー体５２のフランジ部４１への被着状態におけるロック片５３の仮止め位置にある状態と、（Ｃ）被着状態におけるロック片５３の係合位置にある状態とを示す前後方向の拡大断面図である。
【図１０】カバー体５２のフランジ部４１への被着状態における、（Ａ）ロック片５３が仮止め位置にある状態と、（Ｂ）ロック片５３が係合位置にある状態とを示す横方向の拡大断面図である。
【図１１】（Ａ）フランジ部４１に固着したカバー体５２とその他のカバー体５２とを切断した状態と、（Ｂ）カバー体５２の収納部５６を切断して取り除いた状態とを示す拡大斜視図である。
【図１２】他の構成のロック片７１とカバー体７６とによる、（Ａ）ロック片７１が仮止め位置にある状態と、（Ｂ）ロック片７１が係合位置にある状態とを示す拡大断面図である。
【符号の説明】
【００６６】
１  遊技機の制御基板収納ケース
２  ケース本体
３  蓋体
８  ワンウェイ螺子（螺子）
１８  ボス部
１９  取付孔
４１  フランジ部
４２  リブ部（挿入案内部）
４３  螺子係止部
４５  挿入孔部
４７  係合孔
４７ａ  下部周端縁
４７ｂ  上部周端縁
５１  螺子保護部材
５２  カバー体
５３  ロック片
５５  カバー部
５８  嵌合突部（案内支持部）
５９  嵌合支持部（案内支持部）
６１  収納孔
６２  係止突部
６５ｂ  仮止め爪部
６６ｂ  下係合爪部
６６ｃ  上係合爪部
【図１】
0004878349.tif 000002
【図２】
0004878349.tif 000003
【図３】
0004878349.tif 000004
【図４】
0004878349.tif 000005
【図５】
0004878349.tif 000006
【図６】
0004878349.tif 000007
【図７】
0004878349.tif 000008
【図８】
0004878349.tif 000009
【図９】
0004878349.tif 000010
【図１０】
0004878349.tif 000011
【図１１】
0004878349.tif 000012
【図１２】
0004878349.tif 000013